(57)【要約】      （修正有）【課題】ノータッチスイッチの感知に拠って、発した制御信号を関連エリアの照明設備、電子設備もしくは機械設備等へ出力して制御することにより、構造上に細菌が残留しにくいノータッチスイッチ構造を提供する。【解決手段】ノータッチスイッチ構造は、筐体１、回路板２及びパネル３を含む。回路板は筐体内部に設置し、複数個のノータッチスイッチ２２を備える。パネルは筐体上に組立設置し、複数のノータッチスイッチに対応する図案層３１を備える。被感知物がパネル上の複数の図案層の任意の一個にタッチするか、もしくは近づいた時、複数の図案層に対応する複数のノータッチスイッチは誘導信号を感知して出力し、誘導信号が回路板に対して負荷の稼働もしくは停止を制御する。【選択図】図１
0003219081.tif 000002
【実用新案登録請求の範囲】
【請求項１】
筐体と、
該筐体内部に設置し、そこには複数個のノータッチスイッチを備える回路板と、
該筐体上に組立設置し、そこには該複数のノータッチスイッチに対応する図案層を備えるパネルを含むノータッチスイッチ構造において、そのうち、
被感知物に於いて該パネル上の該複数の図案層の任意の一個をタッチするかもしくは近づけた時、該複数の図案層に対応する該複数のノータッチスイッチは誘導信号を感知して出力し、該誘導信号が該回路板に対して負荷の稼働もしくは停止を制御することを特徴とするノータッチスイッチ構造。
【請求項２】
前記パネルと該回路板上の該複数のノータッチスイッチは、特定の感知距離を保ち、該特定の感知距離は０.１cmから１cmとすることを特徴とする請求項１記載のノータッチスイッチ構造。
【請求項３】
前記回路板上には、更に制御ユニットを含み、該制御ユニット内には保存制御ソフトのメモリーを備えることを特徴とする請求項１記載のノータッチスイッチ構造。
【請求項４】
前記回路板上には、更に複数個の発光ユニットを含み、該複数の発光ユニットは該複数のノータッチスイッチに対応し、並びに該制御ユニットと電気連結し、該複数の発光ユニットは該複数のノータッチスイッチの稼働状態もしくは停止状態を表示することを特徴とする請求項３記載のノータッチスイッチ構造。
【請求項５】
前記複数の発光ユニットは、発光ダイオードであることを特徴とする請求項４記載のノータッチスイッチ構造。
【請求項６】
前記回路板上は更にＷＩＦＩモジュールを電気連結し、外部から伝送した無線信号を受信することを特徴とする請求項１記載のノータッチスイッチ構造。
【請求項７】
筐体と、
該筐体内部に設置し、そこには少なくとも一個のノータッチスイッチ及び少なくとも一個のノータッチ式遅動スイッチを備える回路板と、
該筐体上に組立設置し、そこには該複数のノータッチスイッチに対応する図案層を備えるパネルを含むノータッチスイッチ構造において、そのうち、
被感知物に於いて該パネル上の該複数の図案層の任意の一個をタッチするかもしくは近づけた時、該複数の図案層に対応する該複数のノータッチスイッチは誘導信号を感知して出力し、該誘導信号が該回路板に負荷の稼働、停止もしくはディレイ運転を制御することを特徴とするノータッチスイッチ構造。
【請求項８】
前記パネルと該回路板上の該複数のノータッチスイッチは特定の感知距離を保ち、該特定の感知距離は０.１cm-１cmであることを特徴とする請求項７記載のノータッチスイッチ構造。
【請求項９】
前記回路板上は更に制御ユニットを含み、該制御ユニット内には保存制御ソフト及び遅延時間設定のメモリーを備えることを特徴とする請求項７記載のノータッチスイッチ構造。
【請求項１０】
前記回路板上には更に複数個の発光ユニットを含み、該複数の発光ユニットは該複数のノータッチスイッチに対応し、更に該制御ユニットと電気連結し、該複数の発光ユニットは該複数のノータッチスイッチの稼働状態もしくは停止状態を表示することを特徴とする請求項７記載のノータッチスイッチ構造。
【請求項１１】
前記複数の発光ユニットは発光ダイオードであることを特徴とする請求項７記載のノータッチスイッチ構造。
【請求項１２】
前記回路板上は更にＷＩＦＩモジュールを電気連結し、外部から伝送した無線信号を受信することを特徴とする請求項７記載のノータッチスイッチ構造。
【考案の詳細な説明】
【技術分野】
【０００１】
本考案は、スイッチ構造に関するもので、特に無線、タッチもしくは接近に依るノータッチスイッチ構造に係る。
【背景技術】
【０００２】
現在、多くの照明具及び電子設備はスイッチで制御し、殆どは伝統的なタッチ式スイッチを採用している。これらタッチ式スイッチ上のボタンもしくはキーは、すべて手指でタッチしてボタンもしくはキーの本体を押すか叩くことで電気を通したり停止したりする。そして照明具もしくは電子設備の機能を稼働、もしくは停止する。
【考案の概要】
【考案が解決しようとする課題】
【０００３】
解決しようとする問題点は、この種のタッチ式スイッチを備えたデザインは、現在使用が非常に幅広いが、この種のタッチ式スイッチには欠点が存在する。例として、ボタンスイッチは一定期間使用すると、構造材が老化して壊れ、不良接触が発生する。
【０００４】
次にタッチ式スイッチ上のボタンもしくはキーを押して使用した時、ボタンもしくはキーのボタン表面に伝染性の病原菌が残留した場合、次の接触者が触った時に感染してしまう。拠って、一般病院の手術室もしくは半導体の無塵室には、このタッチ式スイッチデザインは適さない。
【課題を解決するための手段】
【０００５】
本考案は、筐体、回路板及びパネルを含む。該回路板は該筐体内部に設置し、そこには複数個のノータッチスイッチを備える。該パネルは該筐体上に組立設置し、そこには該複数のノータッチスイッチに対応する図案層を備える。そのうち、被感知物に於いて該パネル上の該複数の図案層の任意の一個をタッチするか、もしくは近づけた時、該複数の図案層に対応する該複数のノータッチスイッチは誘導信号を感知して出力し、該誘導信号が該回路板に対して負荷の稼働もしくは停止を制御することを最も主要な特徴とする。
【考案の効果】
【０００６】
本考案のノータッチスイッチ構造は、ノータッチスイッチの感知に拠って、発した制御信号が関連エリアの照明設備、電子設備もしくは機械設備等へ出力されて制御が行われるため、ノータッチスイッチ構造上に細菌が残留しにくいという利点がある。
【図面の簡単な説明】
【０００７】
【図１】本考案の第一実施例のノータッチスイッチ構造の分解指示図である。
【図２】図１のノータッチスイッチ構造の組立指示図である。
【図３】図１のノータッチスイッチ構造の側断面指示図である。
【図４】本考案の回路板上の回路ブロックダイアグラムである。
【図５】本考案の回路板上の別の回路ブロックダイアグラムである。
【考案を実施するための形態】
【０００８】
上述の問題を解決するため、ユーザーがパネルに接近もしくはタッチする時、ノータッチスイッチの感知に拠って、発した制御信号を関連エリアの照明設備、電子設備もしくは機械設備等へ出力して制御することにより、ノータッチスイッチ構造上に細菌が残留しにくい静電式感知のノータッチスイッチ構造を提供することを本考案の主な目的とする。
【０００９】
本考案の他の目的として、ノータッチスイッチ構造において、ＷＩＦＩモジュールを増設し、外部の無線信号を受信して関連エリアの照明設備、電子設備もしくは機械設備等の制御を行う。
【００１０】
本考案の更に他の目的として、ノータッチスイッチ構造においてノータッチ式遅動スイッチを増設し、関連エリアの照明設備、電子設備もしくは機械設備の稼働時間を遅延制御する。
【００１１】
上述の目的を達成するため、本考案はノータッチスイッチ構造を含み、それは筐体、回路板及びパネルを含む。該回路板は該筐体内部に設置し、それは複数個のノータッチスイッチを備える。該パネルは該筐体上に組立設置し、そこには該複数のノータッチスイッチに対応する図案層を備える。そのうち、被感知物に於いて該パネル上の該複数の図案層の任意の一個をタッチするかもしくは近づけた時、該複数の図案層に対応する該複数のノータッチスイッチは誘導信号を感知して出力し、該誘導信号が該回路板に対して負荷の稼働もしくは停止を制御する。
【００１２】
本考案の一実施例において、該パネルと該回路板上の該複数のノータッチスイッチは特定の感知距離を保ち、該特定の感知距離は０.１cm-１cmである。
【００１３】
本考案の一実施例において、該回路板上は更に制御ユニットを含み、該制御ユニット内には保存制御ソフトのメモリーを備える。
【００１４】
本考案の一実施例において、該回路板上には更に複数個の発光ユニットを含み、該複数の発光ユニットは該複数のノータッチスイッチに対応し、並びに該制御ユニットと電気連結し、該複数の発光ユニットは該複数のノータッチスイッチの稼働状態もしくは停止状態を表示する。
【００１５】
本考案の一実施例において、該複数の発光ユニットは、発光ダイオードである。
【００１６】
本考案の一実施例において、該回路板上は更にＷＩＦＩモジュールを電気連結し、外部から伝送した無線信号を受信する。
【００１７】
上述の目的を達成するため、本考案は他にノータッチスイッチ構造を提供する。それは筐体、回路板及びパネルを含む。該回路板は該筐体内部に設置し、そこには少なくとも一個のノータッチスイッチ及び少なくとも一個のノータッチ式遅動スイッチを備える。該パネルは該筐体上に組立設置し、そこには該複数のノータッチスイッチに対応する図案層を備える。そのうち、被感知物に於いて該パネル上の該複数の図案層の任意の一個をタッチするかもしくは近づけた時、該複数の図案層に対応する該複数のノータッチスイッチは誘導信号を感知して出力し、該誘導信号が該回路板に負荷の稼働、停止もしくはディレイ運転を制御する。
【００１８】
本考案の一実施例において、該パネルと該回路板上の該複数のノータッチスイッチは特定の感知距離を保ち、該特定の感知距離は０.１cm-１cmである。
【００１９】
本考案の一実施例において、該回路板上は更に制御ユニットを含み、該制御ユニット内には保存制御ソフト及び遅延時間設定のメモリーを備える。
【００２０】
本考案の一実施例において、該回路板上には更に複数個の発光ユニットを含み、該複数の発光ユニットは該複数のノータッチスイッチに対応し、該制御ユニットと電気連結し、該複数の発光ユニットは該複数のノータッチスイッチの稼働状態もしくは停止状態を表示する。
【００２１】
本考案の一実施例において、該複数の発光ユニットは発光ダイオードである。
【００２２】
本考案の一実施例において、該回路板上は更にＷＩＦＩモジュールを電気連結し、外部から伝送した無線信号を受信する。
【実施例】
【００２３】
本考案の技術内容及び詳細説明は、図式と共に以下に説明する。
【００２４】
図１-３は、本考案の第一実施例のノータッチスイッチ構造の分解、組立及び側剖視指示図である。図に示すとおり、本考案のノータッチスイッチ構造は、筐体１、回路板２及びパネル３を含む。そのうち、ノータッチスイッチ構造は物体に近づいたのを感知した時、該ノータッチスイッチ構造は誘導信号を発するか、もしくは無線制御信号を受信し、該誘導信号もしくは無線制御信号が該回路板２上の制御ユニット２１を駆動して制御エリアの照明設備、電器設備もしくは機械設備、例として照明具、電子製品、表門、電動窓、扇風機、冷房機、エレベーター、洗濯機もしくは機械加工機を稼働させる。
【００２５】
該筐体１には納置空間１１を備え、更に該筐体１内縁上には接合部１２を備える。該納置空間１１は該回路板２を設置するのに用いる。該接合部１２は該パネル３を接合するのに用いる。本図式において、該筐体１はプラスチック材とする。
【００２６】
該回路板２は、該筐体１の納置空間１１の中に組み立て、該回路板２上には、少なくとも一制御ユニット２１、複数個のノータッチスイッチ２２、複数個の発光ユニット２３及びＷＩＦＩモジュール２４を含む。該制御ユニット２１はＩＣ制御部品及び制御回路から構成される。内部のメモリー(図未提示)は制御ソフト、もしくは遅延時間の設定プログラムをロードし、制御ユニット２１において、入力コマンドを受信後、コマンドに基づいて行われた出力端と連結した制御エリアの電気負荷に対して制御する。
【００２７】
該複数のノータッチスイッチ２２は、該制御ユニット２１と電気連結し、該複数のノータッチスイッチ２２は制御が異なるエリアの照明設備、電器設備もしくは機械設備、例として一番目のノータッチスイッチ２２ａの制御Ａ区、二番目のノータッチスイッチ２２bの制御B区、三番目のノータッチスイッチ２２cの制御C区によって設定される。
【００２８】
該複数の発光ユニット２３は、該制御ユニット２１と電気連接し、各々該発光ユニット２３ａ、２３b、２３cは、一個のノータッチスイッチ２２ａ、２２b、２２cにそれぞれ対応し、該複数の発光ユニット２３によって該複数のノータッチスイッチ２２の稼働状態もしくは停止状態を表示する。例として一番目のノータッチスイッチ２２ａが始動され、該制御ユニット２１がこの信号を受信すると、該制御ユニット２１が一番目の発光ユニット２３ａを稼働して光らせ、それは対応する一番目のノータッチスイッチ２２ａが始動されたことを表示する。一番目のノータッチスイッチ２２ａが再び感知され、該制御ユニット２１が再び信号を受信すると、該制御ユニット２１は一番目の発光ユニット２３ａを光らせず、それは即ち、該一番目のノータッチスイッチ２２ａがすでに停止されたことを表す。当図式において、該複数の発光ユニット２３は発光ダイオードとする。
【００２９】
該ＷＩＦＩモジュール２４は、該制御ユニット２１と電気連接し、該ＷＩＦＩモジュール２４は、外部のスマート型装置もしくはコンピュータの無線伝送信号を受信し、あらかじめ制御した信号を制御ユニット２１に伝え、該回路板２上の該複数のノータッチスイッチ２２の機能を取り換える。
【００３０】
該パネル３は、該筐体１の接合部１２上に設置し、該回路板２を該筐体１内部にパッケージングする。該パネル３上には複数個の図案層３１を備え、各々該図案層３１ａ、３１b、３１cは一個のノータッチスイッチ２２ａ、２２b、２２cに対応する。且つパネル３に於いてシーリングした後、該パネル３は該回路板２上の該複数のノータッチスイッチ２２と特定の感知距離を保ち、該特定の感知距離は０.１cm-１cmとする。それらに拠って、ユーザー(生物)の手指がパネル３上の任意の一個の図案層３１にタッチするか、接近した時、該図案層３１に対応するノータッチスイッチ２２は静電感知方式でユーザーの手指を感知し、該ノータッチスイッチ２２が誘導信号を感知して出力する。
【００３１】
図４に示すのは、本考案の回路板上の回路ブロックダイアグラムであり、同時に図１-３と共に説明に用いる。図に示すとおり、本考案のノータッチスイッチ構造は運用時、先ず該回路板２の出力端からそれぞれ異なるエリア、例としてＡ区１０、B区２０及びC区３０へ電気連結し、且つ該一番目のノータッチスイッチ２２ａをＡ区１０に対応させ、該二番目のノータッチスイッチ２２bをB区２０へ対応させ、該三番目のノータッチスイッチ２２cをC区３０へ対応させる。
【００３２】
ユーザーの手指でパネル３上の一番目の図案層３１ａへタッチするか、もしくは近づけた時、該一番目のノータッチスイッチ２２ａは誘導信号を発し、同時に誘導信号を該制御ユニット２１へ伝送して受信させた後、該制御ユニット２１が一番目の発光ユニット２３ａを稼働して光らせ、同時に該Ａ区１０の照明設備、電器設備もしくは機械設備を動かす。ユーザーの手指が再度パネル３上の一番目の図案層３１ａにタッチするか、もしくは近づけた時、該一番目のノータッチスイッチ２２ａは誘導信号を発し、同時に誘導信号を該制御ユニット２１へ伝送して受信させると、該制御ユニット２１は一番目の発光ユニット２３ａが光るのを停止し、同時に該Ａ区１０の照明設備、電器設備もしくは機械設備を動かさない。同様に、ユーザーの手指をパネル３上の二番目の図案層３１b、三番目の図案層３１cにタッチするか、近づけた時、発した制御動作は該パネル３の一番目の図案層３１ａにタッチした制御方式と同じである。
【００３３】
ユーザーがスマートフォン(もしくはコンピュータ)４０を通じて制御アプリケーションソフトをダウンロードすると、ユーザーはスマートフォン４０でこの種の制御機能を稼働し、同時にスマートフォン４０のスクリーン上において該複数のノータッチスイッチ２２に対応する複数個の図案(図未提示)を表示する。ユーザーがスマートフォン４０の一番目の図案を選択した時、該スマートフォン４０が該ノータッチスイッチ構造のＷＩＦＩモジュール２４にこの信号を送って受信させた後、該回路板２上の制御ユニット２１は該Ａ区１０の照明設備、電器設備もしくは機械設備を駆動し、同時にＡ区１０の照明設備、電器設備もしくは機械設備が駆動されると、該回路板２は信号を戻しＷＩＦＩモジュール２４を経てスマートフォン４０上に伝送し、ユーザーＡ区１０の照明設備、電器設備もしくは機械設備がすでに駆動されたことを知らせる。ユーザーの手指が再びスマートフォン４０のスクリーン上の一番目の図案を選択した時、該スマートフォン４０が再び該ノータッチスイッチ構造のＷＩＦＩモジュール２４に信号を送って受信させた後、該回路板２上の制御ユニット２１は該Ａ区１０の照明設備、電器設備もしくは機械設備の駆動を停止し、同時にＡ区１０の照明設備、電器設備もしくは機械設備が停止されると、該回路板２は信号を戻し、ＷＩＦＩモジュール２４を経てスマートフォン４０上へ伝え、ユーザーにＡ区１０の照明設備、電器設備もしくは機械設備がすでに停止されたことを知らせる。
【００３４】
更に図５を用い同時に図１-３と合わせて説明する。図に示すとおり、本考案のノータッチスイッチ２２は遅延時間機能を備えたノータッチ式遅動スイッチ２２ｄである時、同時に該制御ユニット２１内部のメモリーは遅延時間が約３分間もしくは９分間の一様でない遅延時間を保存する。ノータッチスイッチ構造をトイレ５０で運用する時、ユーザーがトイレ５０に居る時、手指でパネル３上の一番目の図案層３１ａにタッチするか、近づけた時、該一番目のノータッチスイッチ２２ａは誘導信号を発し、同時に誘導信号を該制御ユニット２１へ伝送して受信させると、該制御ユニット２１が一番目の発光ユニット２３ａを稼働して光らせ、同時にトイレ５０内の照明具(図未提示)を光らせ、及び換気扇(図未提示)を動かす。ユーザーがトイレ５０の使用を終えた後、次にパネル３上の一番目の図案層３１ａにタッチさせるか、もしくは近づけた時、該一番目のノータッチスイッチ２２ａはトイレ５０の照明具もしくは換気扇を感知して停止するか、もしくは別の図案層３１cをタッチさせ、対応するノータッチ式遅動スイッチ２２ｄが誘導信号を発し、該誘導信号を該制御ユニット２１に伝えて受信させた後、該制御ユニット２１はトイレ５０の換気扇を制御して約３分間もしくは９分間回転し続けてトイレ内の臭気を取り除き、トイレ内の空気を清潔に保つ。
【００３５】
但し、以上は本考案の良好な実施例に過ぎず、本考案を制限するものではない。故に本考案の明細書もしくは図式による同効果の変化はすべて本考案の請求範囲に含まれるものとする。
【符号の説明】
【００３６】
１        筐体
１１        納置空間
１２        接合部
２        回路板
２１        制御ユニット
２２        ノータッチスイッチ
２２ａ      一番目のノータッチスイッチ
２２ｂ      二番目のノータッチスイッチ
２２ｃ      三番目のノータッチスイッチ
２２ｄ      ノータッチ式遅動スイッチ
２３        発光ユニット
２３ａ      一番目の発光ユニット
２３ｂ      二番目の発光ユニット
２３ｃ      三番目の発光ユニット
２４        ＷＩＦＩモジュール
３        パネル
３１        図案層
３１ａ      一番目の図案層
３１ｂ      二番目の図案層
３１ｄ      三番目の図案層
１０        Ａ区
２０        B区
３０        C区
４０        スマートフォン
５０        トイレ
【図１】
0003219081.tif 000003
【図２】
0003219081.tif 000004
【図３】
0003219081.tif 000005
【図４】
0003219081.tif 000006
【図５】
0003219081.tif 000007
【手続補正書】
【提出日】平成30年9月27日(2018.9.27)
【手続補正１】
【補正対象書類名】実用新案登録請求の範囲
【補正対象項目名】全文
【補正方法】変更
【補正の内容】
【実用新案登録請求の範囲】
【請求項１】
筐体と、
該筐体内部に設置し、そこには複数個のノータッチスイッチを備える回路板と、
該筐体上に組立設置し、そこには該複数のノータッチスイッチに対応する図案層を備えるパネルを含むノータッチスイッチ構造において、そのうち、
被感知物に於いて該パネル上の該複数の図案層の任意の一個をタッチするかもしくは近づけた時、該複数の図案層に対応する該複数のノータッチスイッチは誘導信号を感知して出力し、該誘導信号が該回路板に対して負荷の稼働もしくは停止を制御することを特徴とするノータッチスイッチ構造。
【請求項２】
前記パネルと該回路板上の該複数のノータッチスイッチは、特定の感知距離を保ち、該特定の感知距離は０.１cmから１cmとすることを特徴とする請求項１記載のノータッチスイッチ構造。
【請求項３】
前記回路板上には、更に制御ユニットを含み、該制御ユニット内には保存制御ソフトのメモリーを備えることを特徴とする請求項１記載のノータッチスイッチ構造。
【請求項４】
前記回路板上には、更に複数個の発光ユニットを含み、該複数の発光ユニットは該複数のノータッチスイッチに対応し、並びに該制御ユニットと電気連結し、該複数の発光ユニットは該複数のノータッチスイッチの稼働状態もしくは停止状態を表示することを特徴とする請求項３記載のノータッチスイッチ構造。
【請求項５】
前記複数の発光ユニットは、発光ダイオードであることを特徴とする請求項４記載のノータッチスイッチ構造。
【請求項６】
前記回路板上は更にＷＩＦＩモジュールを電気連結し、外部から伝送した無線信号を受信することを特徴とする請求項１記載のノータッチスイッチ構造。
【請求項７】
筐体と、
該筐体内部に設置し、そこには少なくとも一個のノータッチスイッチ及び少なくとも一個のノータッチ式遅動スイッチを備える回路板と、
該筐体上に組立設置し、そこには該複数のノータッチスイッチに対応する図案層を備えるパネルを含むノータッチスイッチ構造において、そのうち、
被感知物に於いて該パネル上の該複数の図案層の任意の一個をタッチするかもしくは近づけた時、該複数の図案層に対応する該複数のノータッチスイッチは誘導信号を感知して出力し、該誘導信号が該回路板に負荷の稼働、停止もしくはディレイ運転を制御することを特徴とするノータッチスイッチ構造。
【請求項８】
前記パネルと該回路板上の該複数のノータッチスイッチは特定の感知距離を保ち、該特定の感知距離は０.１cm-１cmであることを特徴とする請求項７記載のノータッチスイッチ構造。
【請求項９】
前記回路板上は更に制御ユニットを含み、該制御ユニット内には保存制御ソフト及び遅延時間設定のメモリーを備えることを特徴とする請求項７記載のノータッチスイッチ構造。
【請求項１０】
前記回路板上には更に複数個の発光ユニットを含み、該複数の発光ユニットは該複数のノータッチスイッチに対応し、更に該制御ユニットと電気連結し、該複数の発光ユニットは該複数のノータッチスイッチの稼働状態もしくは停止状態を表示することを特徴とする請求項９記載のノータッチスイッチ構造。
【請求項１１】
前記複数の発光ユニットは発光ダイオードであることを特徴とする請求項１０記載のノータッチスイッチ構造。
【請求項１２】
前記回路板上は更にＷＩＦＩモジュールを電気連結し、外部から伝送した無線信号を受信することを特徴とする請求項７記載のノータッチスイッチ構造。